(57)【特許請求の範囲】
【請求項１】
フック本体の周囲に外壁部を有し、これらフック本体と外壁部との間に形成された案内溝状部に紐状体を通過させることにより、紐状体をフック本体に掛止させるようにしたフック装置であって、
前記外壁部においてフック本体の自由端に対向する部位から案内溝状部に突出する態様で突状部を設けたことを特徴とするフック装置。
【請求項２】
前記フック本体において外壁部の突状部に近接する部位に外壁部に向けて突起部を形成したことを特徴とする請求項１に記載のフック装置。
【発明の詳細な説明】
【技術分野】
【０００１】
本発明は、紐状体を掛止する場合に適用するフック装置に関するものである。
【背景技術】
【０００２】
従来より自動販売機には、キャンペーン用ハガキ等の紙葉類を束ねた紐状体を掛止するためのフック装置が設けられている。この種のフック装置は、上方に向けて延在するフック本体を備えたものが一般的であり、このフック本体に環状の紐状体を挿通させることにより、該紐状体を掛止するようにしている。
【０００３】
【特許文献１】特開平１０−１６２２１２号公報
【発明の開示】
【発明が解決しようとする課題】
【０００４】
通常、上記のようなフック装置には、フック本体の裏面側に突出部が設けられており、掛止させた紐状体が不用意に脱落するのを防止するようにしている。しかしながら、フック本体の裏面側に設けられた突出部に対して紐状体が確実に掛止されているか否かを確認することは困難であり、紐状体が突出部に確実に掛止されていない状態が起こり得る。このような場合には、イタズラや風によって紙葉類や紐状体に外力が作用すると、紐状体がフック本体から容易に脱落する虞れがある。
【０００５】
本発明は、上記実情に鑑みて、外力が作用した場合にも紐状体がフック本体から容易に脱落する事態を有効に防止し得るフック装置を提供することを目的とする。
【課題を解決するための手段】
【０００６】
上記の目的を達成するために、本発明の請求項１に係るフック装置は、フック本体の周囲に外壁部を有し、これらフック本体と外壁部との間に形成された案内溝状部に紐状体を通過させることにより、紐状体をフック本体に掛止させるようにしたフック装置であって、前記外壁部においてフック本体の自由端に対向する部位から案内溝状部に突出する態様で突状部を設けたことを特徴とする。
【０００７】
また、本発明の請求項２に係るフック装置は、上述した請求項１において、前記フック本体において外壁部の突状部に近接する部位に外壁部に向けて突起部を形成したことを特徴とする。
【発明の効果】
【０００８】
本発明によれば、外壁部から突設した突状部によって案内溝状部に狭隘部が形成され、一旦掛止させた紐状体が脱落する場合にはこの狭隘部を通過しなければならないため、これを有効に防止することができるようになる。しかも、紐状体を掛止する場合には、狭隘部を通過する際の抵抗に打ち勝つだけの操作力が必要となるため、紐状体を掛止させる操作がより確実となる。
【発明を実施するための最良の形態】
【０００９】
以下に添付図面を参照して、本発明に係るフック装置の好適な実施の形態について詳細に説明する。
【００１０】
図１〜図３は、本発明の実施の形態であるフック装置を示したものである。ここで例示するフック装置は、缶入り飲料等の商品を販売する自動販売機１の前面にキャンペーン用ハガキ２等の紙葉類を束ねた環状の紐状体３を掛止させるためのもので、図４及び図５に示すように、化粧枠１０と称されるカバー部材に一体に設けてある。化粧枠１０は、自動販売機１の前面においてコイン投入口１１及び返却レバー１２の配設部位を一体に覆うためのもので、コイン投入口１１の側方及び返却レバー１２の側方にそれぞれ１個ずつ合計２個のフック装置２０を有している。尚、図５中の符号４は商品展示室、符号５は液晶表示器、符号６は紙幣投入口、符号７はコイン返却口、符号８は商品取出口である。
【００１１】
図１〜図４に示すように、それぞれのフック装置２０は、フック本体２００を有している。フック本体２００は、柱状体部２０１、後方突起部２０２及び左右一対の側方突起部２０３を化粧枠１０とともに一体成形して構成したものである。
【００１２】
柱状体部２０１は、上方に向けて延在した角柱状部材であり、その前面が化粧枠１０の外表面と面一となるように構成してある。
【００１３】
後方突起部２０２は、柱状体部２０１の裏面上半部から後方に向けて突出した直方状部分である。図２からも明らかなように、後方突起部２０２の後方への突出量ａは、柱状体部２０１の奥行き長さｂとほぼ同等である。後方突起部２０２の上面２０２ａは、後方に向かうに従って漸次下方に傾斜する態様で設けてある。後方突起部２０２の下面２０２ｂは、ほぼ水平に延在しており、柱状体部２０１の高さｃの１／２よりも下方に位置している。
【００１４】
側方突起部２０３は、柱状体部２０１の側面から後方突起部２０２の側面に至る部位に亘って形成した突出部分である。図１からも明らかなように、それぞれの側方突起部２０３は、柱状体部２０１の上面２０１ａから下方に向かうに従って漸次外方に傾斜する態様で突出した後、Ｒ部を介してほぼ水平となる下面２０３ａに連続している。柱状体部２０１の上面２０１ａから側方突起部２０３の下面２０３ａまでの高さｄは、上述した後方突起部２０２のそれよりも充分に小さく構成してあり、例えば柱状体部２０１の高さｃの１／５以下である。また側方突起部２０３の下面２０３ａの突出量ｅも、後方突起部２０２のそれよりも充分に小さく、例えば柱状体部２０１の幅ｆのほぼ１／４である。
【００１５】
また、上記フック装置２０には、フック本体２００の周囲となる部位に外壁部３００が設けてある。外壁部３００は、フック本体２００との間に案内溝状部４００を形成することによって構成したもので、天壁面３０１、側壁面３０２及び下壁面３０３を有している。
【００１６】
天壁面３０１は、フック本体２００の上面２０１ａ，２０２ａに対向する態様で延在する部分であり、柱状体部２０１の上面２０１ａに対向する第１天壁面部３０１ａと、後方突起部２０２の上面２０２ａに対向する第２天壁面部３０１ｂとを有して構成してある。第２天壁面部３０１ｂは、後方突起部２０２の上面２０２ａとの間に紐状体３を通過させるに充分な間隔を確保する態様で設けてある一方、第１天壁面部３０１ａは、第２天壁面部３０１ｂよりもさらに上方に位置する部位に設けてある。
【００１７】
側壁面３０２は、フック本体２００の側面に対向する態様で延在する部分であり、柱状体部２０１の側面２０１ｂに対向する一対の第１側壁面部３０２ａと、後方突起部２０２の側面２０２ｃに対向する一対の第２側壁面部３０２ｂとを有して構成してある。第２側壁面部３０２ｂは、後方突起部２０２の側面２０２ｃとの間に紐状体３を通過させるに充分な間隔を確保する態様で設けてある一方、第１側壁面部３０２ａは、第２側壁面部３０２ｂよりもさらに側外方に位置する部位に設けてある。
【００１８】
下壁面３０３は、フック本体２００と側壁面３０２との間を連続する第１下壁面部３０３ａと一対の側壁面３０２の相互間を連続する第２下壁面部３０３ｂとを有して構成してある。第２下壁面部３０３ｂは、第２天壁面部３０１ｂに対向する態様で設けてある一方、第１下壁面部３０３ａは、外方に向けて漸次下方に傾斜する態様で設けてある。
【００１９】
さらに、上記フック装置２０は、第２側壁面部３０２ｂにおいてフック本体２００の自由端、つまり上端に対向する部位にそれぞれ突状部３０２ｃを備えている。突状部３０２ｃは、図１に示すように、第２側壁面部３０２ｂにおいてフック本体２００の側方突起部２０３に向けて突出する部分であり、当該側方突起部２０３との相互間隔を狭め、かつ蛇行させる蛇行狭隘部４０１を構成するように設けてある。この蛇行狭隘部４０１の最小間隔は、紐状体３の外径寸法３ａよりも小さく、当該紐状体３を通過させる際に抵抗感を得るように構成してある（図６参照）。また各突状部３０２ｃは、それぞれの側方突起部２０３との相互間隔が上方に向けて漸次広くなるように横断面を半円形状に構成してある。
【００２０】
上記のように構成したフック装置２０では、フック本体２００と天壁面３０１との間から紐状体３を挿入した後、紐状体３の輪３ｂの中にフック本体２００を挿通させる態様で紐状体３を引き下げれば、図５〜図７に示すように、自動販売機１の前面に紐状体３を掛止させることができる。この場合、上記フック装置２０によれば、紐状体３が通過する案内溝状部４００に蛇行狭隘部４０１が形成されているが、蛇行狭隘部４０１の間隔が上方に向けて漸次広くなるように構成してあるため、紐状体３の通過操作が煩雑になる等の支障を来す虞れはない。
【００２１】
ここで、上記フック装置２０では、一定の操作力によって紐状体３を挿入操作した場合、蛇行狭隘部４０１において紐状体３の通過が規制され、一旦停止することになる。従って、紐状体３を通過させるためには、蛇行狭隘部４０１において大きな操作力が必要となる。これにより、蛇行狭隘部４０１を通過した後の紐状体３は、その後途中で停止することなく後方突起部２０２を通過し、目視での確認を要せずとも、図７に示すように、その下面２０２ｂよりも下方に位置する場合がきわめて多くなる。紐状体３が図７に示す状態、つまり紐状体３が後方突起部２０２の下面２０２ｂよりも下方に位置した状態であれば、イタズラや風によって紐状体３やキャンペーン用ハガキ２に上方に向かう外力が作用した場合にも、紐状体３が後方突起部２０２の下面２０２ｂに係合してこれを阻止するため、フック本体２００から容易に脱落する事態を防止することが可能となる。
【００２２】
しかも、一旦蛇行狭隘部４０１を通過した後の紐状体３は、フック本体２００から脱落する際にも蛇行狭隘部４０１を通過しなければならない。従って、仮に後方突起部２０２の途中において紐状体３が引っ掛かった状態となった場合においても、蛇行狭隘部４０１によって紐状体３が上方に移動するのを阻止することが可能となり、フック本体２００から容易に脱落する事態を防止することが可能となる。
【００２３】
また、上記フック装置２０によれば、フック本体２００の上端部に高さの低い側方突起部２０３が設けてあるため、さらにこの側方突起部２０３の上面が外方に向けて低くなるように傾斜しているため、紐状体３がこの側方突起部２０３の下面２０３ａに至らずに途中で引っ掛かる事態を招来する虞れがない。従って、仮に後方突起部２０２の途中において紐状体３が引っ掛かった状態となった場合においても側方突起部２０３の下面２０３ａにおいて紐状体３が上方に移動するのを阻止することが可能となり、フック本体２００から容易に脱落する事態を防止することが可能となる。
【００２４】
尚、上述した実施の形態では、自動販売機１に紐状体３を掛止させるものを例示したが、自動販売機１に紐状体３を掛止するものに限らない。
【００２５】
また、上述した実施の形態では、フック本体２００に後方突起部２０２及び側方突起部２０３を有したフック装置２０を例示しているが、これら後方突起部２０２及び側方突起部２０３は必ずしも設けてある必要はない。
【００２６】
さらに、上述した実施の形態では、フック装置２０の寸法に関して具体的な例を示しているが、あくまでも例示のための記載であり、上述の寸法に限定されないのはいうまでもない。
【図面の簡単な説明】
【００２７】
【図１】本発明の実施の形態であるフック装置を概念的に示した正面図である。
【図２】図１における II−II 線断面図である。
【図３】図１に示したフック装置の一部を破断した斜視図である。
【図４】図１に示したフック装置を適用した自動販売機の化粧枠を示す正面図である。
【図５】図１に示したフック装置を適用した自動販売機の正面図である。
【図６】図１に示したフック装置に紐状体を掛止させた状態を示す正面図である。
【図７】図１に示したフック装置に紐状体を掛止させた状態を示す断面側面図である。
【符号の説明】
【００２８】
１      自動販売機
２      キャンペーン用ハガキ
３      紐状体
１０      化粧枠
１１      コイン投入口
１２      返却レバー
２０      フック装置
２００      フック本体
２０１      柱状体部
２０２      後方突起部
２０３      側方突起部
３００      外壁部
３０１      天壁面
３０２      側壁面
３０２ｃ      突状部
３０３      下壁面
４００      案内溝状部
４０１      蛇行狭隘部
【図１】
0004591267.tif 000002
【図２】
0004591267.tif 000003
【図３】
0004591267.tif 000004
【図４】
0004591267.tif 000005
【図５】
0004591267.tif 000006
【図６】
0004591267.tif 000007
【図７】
0004591267.tif 000008